(57)【要約】【課題】発光点間隔バラツキの大きいマルチレーザ光源を用いた光ピックアップ装置において、発光点間隔のバラツキを吸収し、かつレーザ部の温度変化に伴う波長変動が生じても、受光面上スポットの変位量を従来よりも抑制し、サーボ信号の品質劣化を低減する光ピックアップ装置を提供する。【解決手段】上記課題を解決するため、第１の回折格子ならびに第２の回折格子を光軸方向に並べて設置し、例えばＤＶＤ光ビームは第１の回折格子の０次光かつ第２の回折格子の０次光を検出に用い、またＣＤ光ビームは第１の回折格子および第２の回折格子の回折光のうち、０次光を境にして互いに逆方向に回折する光ビームを検出に用いる。【選択図】  図１
2005038474.tif 000002
【特許請求の範囲】
【請求項１】
互いに発振波長の異なる第１の半導体レーザ光源および第２の半導体レーザ光源を同一の筐体内に収納したマルチレーザ光源と、前記第１の半導体レーザ光源から出射した第１の光ビームおよび前記第２の半導体レーザ光源から出射した第２の光ビームを光ディスクに集光させる対物レンズと、前記光ディスクを反射した前記第１または前記第２の光ビームを検出する光検出器とを搭載した光ピックアップ装置において、前記第１または前記第２の半導体レーザ光源を出射した前記第１または前記第２の光ビームが前記光検出器に向かう光路中に格子溝の方向が互いに略一致している第１の回折格子ならびに第２の回折格子を光軸方向に並べて設置しており、前記第１の光ビームに関しては前記第１の回折格子の０次光かつ前記第２の回折格子の０次光を前記光検出器にて検出し、零ではない任意の整数をｍならびにｎとすると前記第２の光ビームに関しては前記第１の回折格子におけるｍ次光かつ前記第２の回折格子のｎ次光を前記光検出器にて検出し、かつ前記第２の光ビームに関しては前記第１の回折格子における０次光の光軸を境に前記ｍ次光が回折する側と、該ｍ次光の前記第２の回折格子における０次光の光軸を境に前記ｎ次光が回折する側とは互いに逆側である事を特徴とする光ピックアップ装置。
【請求項２】
前記ｍ次光ならびに前記ｎ次光は、いずれも＋１次光または−１次光であることを特徴とする請求項１記載の光ピックアップ装置。
【請求項３】
前記第１の半導体レーザ光源の発光点と前記第２の半導体レーザ光源の発光点とを結ぶ線を前記第１の回折格子上に投影した線は、前記第１の回折格子における格子溝の方向と垂直である事を特徴とする請求項１乃至２記載の光ピックアップ装置。
【請求項４】
前記第１の回折格子または前記第２の回折格子を光軸方向に変位または光軸周りに回転させる事で、前記第１の光ビームの受光面上における光スポット集光位置を略一致させたまま、前記第２の光ビームの受光面上における光スポット集光位置を調整できる事を特徴とする請求項１乃至３記載の光ピックアップ装置。
【請求項５】
前記第２の光ビームが所定量の波長変動をした場合において、該波長変動によって前記第１の回折格子の回折角度が変化することによって生じる前記受光面上における前記第２の光ビームの集光位置変位量と、該波長変動によって前記第２の回折格子の回折角度が変化することによって生じる前記受光面上における前記第２の光ビームの集光位置変位量とは略一致する事を特徴とする請求項１乃至４記載の光ピックアップ装置。
【請求項６】
前記第１の回折格子の格子ピッチをｐ１、前記第２の回折格子の格子ピッチをｐ２、前記受光面から前記第１の回折格子までの距離をｄＡ、前記受光面から前記第１の回折格子までの距離をｄＢとすると、
【数９】
2005038474.tif 000011
を満たす事を特徴とする請求項１乃至５記載の光ピックアップ装置。
【請求項７】
前記第１の回折格子の方が前記第２の回折格子に比べて前記光検出器から遠い側に配置されており、前記第１の回折格子の格子ピッチをｐ１、前記第２の回折格子の格子ピッチをｐ２とすると、
【数１】
2005038474.tif 000012
を満たす事を特徴とする請求項１乃至６記載の光ピックアップ装置。
【請求項８】
前記第１の回折格子ならびに前記第２の回折格子は、波長選択性を有する回折格子であることを特徴とする請求項１乃至７記載の光ピックアップ装置。
【請求項９】
前記第１の回折格子と前記第２の回折格子の格子溝断面は階段状であり、かつブレーズ化している事を特徴とする請求項１乃至８記載の光ピックアップ装置。
【請求項１０】
請求項１乃至９記載の光ピックアップ装置を搭載した光ディスク装置。
【発明の詳細な説明】
【０００１】
【発明の属する技術分野】
本発明はＤＶＤやＣＤのように記録密度の異なる複数の光ディスクに対応した記録再生用光ピックアップ装置に関するものであり、かつＤＶＤ用レーザとＣＤ用レーザのように互いに発振波長の異なるレーザを同一の筐体内に収納したマルチレーザ光源を搭載した光ピックアップ装置、ならびに該光ピックアップ装置を搭載した光ディスク装置に関するものである。
【０００２】
【従来の技術】
ＤＶＤ用半導体レーザとＣＤ用半導体レーザを同一の筐体内に収納した２波長マルチレーザを光ピックアップ装置の光源に用いると、２波長合成用のプリズム等の光学部品を削除できることから光ピックアップ装置の構造の簡略化が出来、低価格化に非常に有利である。
【０００３】
ところで２波長マルチレーザには大別して２つの製造方式がある。１つは同一基板上にＤＶＤ用半導体レーザとＣＤ用半導体レーザを結晶成長させて作り込む「モノリシック型」であり、もう１つは別々に結晶成長させて作製したＤＶＤ用半導体レーザチップとＣＤ用半導体レーザチップを専用の組立装置でＳｉ基板上に置き、熱融着などによって固定する「ハイブリット型」である。
【０００４】
モノリシック型の場合、発光点間隔のバラツキはマスクの精度で決まるため±１μｍ以下に抑える事が可能であるが、ハイブリット型の場合、チップ実装時において機械的な誤差が発生するため、位置決め誤差の低減を重視した専用の実装機を使ったとしても、発光点間隔のバラツキは±１０μｍ程度が限度となる。そのため光ピックアップ装置にハイブリット型の２波長マルチレーザを搭載する場合は、発光点間隔のバラツキを吸収する機構が必要となる。
【０００５】
現在のところ、ＤＶＤ／ＣＤ共に再生専用の低出力の２波長マルチレーザは既に各レーザメーカから製品化されていることから、各光ピックアップメーカは２波長マルチレーザを搭載したＤＶＤ−ＲＯＭドライブ用光ピックアップ装置やＤＶＤプレーヤ用光ピックアップ装置を数多く製品化している。ここでハイブリット型の２波長マルチレーザを搭載した光ピックアップ装置は、例えば図９に示すような光学系である。図９に示すように、ハイブリット型の２波長マルチレーザ特有の問題である±１０μｍ程度の発光点間隔のバラツキを吸収する機構として、階段状ブレーズ化格子７を検出側に用いる構成が提案されている（特許文献１参照）。
【０００６】
【特許文献１】
特開２００２−３１１２２０号公報（第５頁、図２）
【０００７】
この場合、検出に用いる光ビームは図１０（ａ）に示すように、階段状ブレーズ化格子７に入射したＤＶＤ光ビーム２００とＣＤ光ビーム２０１の回折光のうち、ＤＶＤは０次光の光ビームを光検出に用い、ＣＤは１次光の光ビームを光検出に用いる。このような構成にすると、階段状ブレーズ化格子７を符号５０に示すように光軸方向に動かす事で、受光面８ａ上のＤＶＤスポット位置を変化させることなく、符号５１に示すようにＣＤスポット１１ａの位置のみを調整出来るので、発光点間隔のバラツキを吸収することが出来る。
【０００８】
【発明が解決しようとする課題】
しかしながら前記構成を用いた光ピックアップ装置は以下の点について考慮がされていなかった。
【０００９】
半導体レーザはレーザ部の温度が変化すると発振波長が変化する特性があるため、階段状ブレーズ化格子における回折角度が変化し、ＣＤ光軸が符号２０１ａから符号２０１ｂに変化する。よって受光面８ａ上におけるＣＤスポットの受光位置が図１０（ｂ）に示すように初期位置から変位する。ここで例えば非点収差方式によってフォーカス信号を検出する場合においては、スポットの受光位置が変位するとフォーカス信号にオフセットが発生するので、サーボ信号の品質劣化の面で考慮がされていなかった。
【００１０】
本発明は上記問題を鑑みなされたものであり、発光点間隔バラツキの大きいマルチレーザを光源に用いた場合において、発光点間隔のバラツキを吸収でき、かつレーザ部の温度変化に伴う波長変動が生じても、受光面上スポットの変位量を抑制することでサーボ信号の品質劣化を従来よりも低減できる光ピックアップ装置を提供する事を目的とする。
【００１１】
【課題を解決するための手段】
上記課題を解決するため、本発明においては互いに発振波長の異なる第１の半導体レーザ光源および第２の半導体レーザ光源を同一の筐体内に収納したマルチレーザ光源と、前記第１の半導体レーザ光源から出射した第１の光ビームおよび前記第２の半導体レーザ光源から出射した第２の光ビームを光ディスクに集光させる対物レンズと、前記光ディスクを反射した前記第１または前記第２の光ビームを検出する光検出器とを搭載した光ピックアップ装置において、前記第１または前記第２の半導体レーザ光源を出射した前記第１または前記第２の光ビームが前記光検出器に向かう光路中に格子溝の方向が互いに略一致している第１の回折格子ならびに第２の回折格子を光軸方向に並べて設置しており、前記第１の光ビームに関しては前記第１の回折格子の０次光かつ前記第２の回折格子の０次光を前記光検出器にて検出し、零ではない任意の整数をｍならびにｎとすると前記第２の光ビームに関しては前記第１の回折格子におけるｍ次光かつ前記第２の回折格子のｎ次光を前記光検出器にて検出し、かつ前記第２の光ビームに関しては前記第１の回折格子における０次光の光軸を境に前記ｍ次光が回折する側と、該ｍ次光の前記第２の回折格子における０次光の光軸を境に前記ｎ次光が回折する側とは互いに逆側である事を特徴とする光ピックアップ装置を用いる。
【００１２】
また前記ｍ次光ならびに前記ｎ次光は、例えば＋１次光または−１次光である事を特徴とする光ピックアップ装置を用いる。
【００１３】
また前記第１の半導体レーザ光源の発光点と前記第２の半導体レーザ光源の発光点とを結ぶ線を前記第１の回折格子上に投影した線は、例えば前記第１の回折格子における格子溝の方向と垂直である事を特徴とする光ピックアップ装置を用いる。
【００１４】
また前記第１の回折格子または前記第２の回折格子を光軸方向に変位または光軸周りに回転させる事で、前記第１の光ビームの受光面上における光スポット集光位置を略一致させたまま、前記第２の光ビームの受光面上における光スポット集光位置を調整できる事を特徴とする光ピックアップ装置を用いる。
【００１５】
また前記第２の光ビームが所定量の波長変動をした場合において、該波長変動によって前記第１の回折格子の回折角度が変化することによって生じる前記受光面上における前記第２の光ビームの集光位置変位量と、該波長変動によって前記第２の回折格子の回折角度が変化することによって生じる前記受光面上における前記第２の光ビームの集光位置変位量とは略一致する事を特徴とする光ピックアップ装置を用いる。
【００１６】
また前記第１の回折格子の格子ピッチをｐ１、前記第２の回折格子の格子ピッチをｐ２、前記受光面から前記第１の回折格子までの距離をｄＡ、前記受光面から前記第１の回折格子までの距離をｄＢとすると、（数９）を満たす事を特徴とする光ピックアップ装置を用いる。
【００１７】
また前記第１の回折格子の方が前記第２の回折格子に比べて前記光検出器から遠い側に配置されており、前記第１の回折格子の格子ピッチをｐ１、前記第２の回折格子の格子ピッチをｐ２とすると、例えば（数１）を満たす事を特徴とする光ピックアップ装置を用いる。
【００１８】
また前記第１の回折格子ならびに前記第２の回折格子は、波長選択性を有する回折格子であっても良い。
【００１９】
また前記第１の回折格子と前記第２の回折格子の格子溝断面は例えば階段状であり、かつブレーズ化していても良い。
【００２０】
【発明の実施の形態】
図１は本発明の光ピックアップ装置に関する実施例を示したものである。符号１は発振波長６５０ｎｍ帯の半導体レーザ光源１ａと、発振波長７８０ｎｍ帯の半導体レーザ光源１ｂを同一の筐体内に設けたマルチレーザ光源を表しており、マルチレーザ光源１から出射した光ビームは３スポット用回折格子２を経て、ビームスプリッタ３を反射する。
【００２１】
ビームスプリッタ３を反射した光ビームは、コリメートレンズ４によって略平行光となり、立ち上げミラー５を反射し、対物レンズ６によって光ディスク１００に集光する。
【００２２】
また光ディスク１００を反射した光ビームは往路と逆の経路をたどって対物レンズ６、立ち上げミラー５、ならびにコリメートレンズ４を経てビームスプリッタ３を透過し、回折格子７ａと回折格子７ｂを経て光検出器８に入射する。
【００２３】
ここで回折格子７ａと回折格子７ｂの格子溝の溝方向は互いに略一致しており、半導体レーザ光源１ａの発光点と半導体レーザ光源１ｂの発光点とを結ぶ線を回折格子７ａ上に投影した線は、回折格子７ａの格子溝の方向と略垂直となるように回折格子７ａと回折格子７ｂを設置している。
【００２４】
ところで光検出器８において検出する光ビームは図２に示すように、ＤＶＤ光ビームは回折格子７ａの０次光かつ回折格子７ｂの０次光を検出に用いる。またＣＤ光ビームは図２に示すように、例えば回折格子７ａにおいては０次光を境にして紙面に向かって左側に回折する光ビーム、かつ回折格子７ｂにおいては０次光を境にして紙面に向かって右側に回折する光ビームを検出に用いると言ったように、回折格子７ａおよび回折格子７ｂの回折光のうち０次光を境にして互いに逆方向に回折する光ビームを検出に用いる。なお回折格子７ａおよび回折格子７ｂの回折光のうち、ＣＤ光ビームの検出に用いる回折光の次数は共に１次の回折光であっても良い。
【００２５】
また本発明において、回折格子７ａと回折格子７ｂの格子溝断面の形状は例えば階段状になっている。格子溝断面の形状を階段状にすることで回折効率に波長選択性を持たせることができ、ＤＶＤ／ＣＤ双方の光ビームに対して受光面位置での光利用効率を高く設定できる（詳細については特許文献１等参照）。
【００２６】
この様にＣＤ光ビームは前述した回折光を検出する事で、半導体レーザ部の温度変化に伴う波長変動が生じた場合、以下に示すように受光面上スポットの変位量を抑制することができる。
【００２７】
半導体レーザはレーザ部の温度が変化すると発振波長が変化する特性があるため、温度が変化すると回折格子における回折角度は変化する。よって例えばレーザ部の温度が上昇し波長が長くなると回折格子における回折角度が大きくなるため、図２に示すように検出に用いるＣＤ光ビームの光軸は符号２０１ａから符号２０１ｂへと変化する。しかしながらＣＤ光ビームは前述したように、回折格子７ａおよび回折格子７ｂの回折光のうち０次光を境にして互いに逆方向に回折する光ビームを検出に用いるため、回折格子７ａにおいて回折角度が変化したことに伴う受光面上でのＣＤスポット変位と、回折格子７ｂにおいて回折角度が変化したことに伴う受光面上でのＣＤスポット変位とは互いに逆方向となりキャンセルする。
【００２８】
その結果、温度変化に伴う波長変動によって生じる受光面上におけるスポット位置ずれを図３に示すように低減でき、温度変化時において各種サーボ信号の品質を向上することができる。
【００２９】
またマルチレーザ光源１におけるＤＶＤとＣＤの発光点間隔がばらつくと、受光面上におけるＤＶＤスポット位置とＣＤスポット位置の間隔がばらつくが、本発明においては以下に示す方法によって受光面上におけるＤＶＤスポット位置とＣＤスポット位置を調整する事が出来る。
【００３０】
図４は本発明における受光面パターンに関する第１の実施例を示したものである。受光面パターンは図４に示すように、３スポット用回折格子２によって３ビームに分かれたＤＶＤ光ビームの受光面上におけるＤＶＤスポット１０ａ、１０ｂ、１０ｃを検出する受光面８ａ、８ｂ，８ｃと、３スポット用回折格子２によって３ビームに分かれたＣＤ光ビームの受光面上ＣＤスポット１１ａ、１１ｂ、１１ｃを検出する受光面９ａ、９ｂ，９ｃとが２列に並んだ構成となっている。
【００３１】
ここでマルチレーザ光源１におけるＤＶＤとＣＤの発光点間隔がばらつくと、ＤＶＤスポット位置を調整した場合、ＣＤスポット位置は例えば符号１１ａ’、１１ｂ’、１１ｃ’に示すように所定の受光面位置から外れる。
【００３２】
しかしながら前述した様に、ＤＶＤ光ビームは回折格子７ａの０次光かつ回折格子７ｂの０次光を検出に用いるため、回折格子７ａまたは回折格子７ｂもしくはその両方を、光軸方向に変位または光軸周りに回転することで、受光面上のＤＶＤスポット位置を変化させることなく、受光面上におけるＣＤスポット位置を調整し所定の位置に集光させる事が出来る。
【００３３】
ところで本発明における受光面パターンは図４に限定されるものではなく図５に示すようなものであっても良い。図５は本発明における受光面パターンに関する第２の実施例を示したものである。本実施例は図４と基本的に同じであるが、ＤＶＤスポットを検出する受光面は８ａのみである事を特徴としている。
【００３４】
なお図４ならびに図５においてＣＤスポット検出用の受光面９ｂと９ｃは２分割の受光面としてあるが、９ａと同じく４分割受光面であっても一向に構わない。
【００３５】
続いて本発明における回折格子の格子ピッチに関する実施例について説明する。図６は回折格子７ａおよび回折格子７ｂの回折光と受光面上における集光位置との関係を表した概略図である。
【００３６】
図６に示すように本発明において検出に用いるＣＤ光ビームは、１点鎖線で表すように例えば回折格子７ａでは回折角θＡで回折する１次回折光であって、かつ回折格子７ｂでは回折角θＢで回折する１次回折光の光ビームであり、受光面上における集光位置を点Ｂとする。ここで回折格子７ａにおいて回折角θＡで回折した回折光の、回折格子７ｂにおける０次光が集光する位置を点Ａとおき、回折格子７ａにおける０次光かつ回折格子７ｂにおける０次光が受光面上に集光する位置を点Ｏとおく。また受光面上において点Ｏと点Ａ間の距離をｈＡとおき、点Ａと点Ｂ間の距離をｈＢとおく。
【００３７】
図６に示すように受光面から回折格子７ａまでの間隔をｄＡ、受光面から回折格子７ｂまでの間隔をｄＢとし、ＣＤ光ビームの波長をλ２とすると、ｈＡとｈＢは（数２）および（数３）で表せる。
【００３８】
【数２】
2005038474.tif 000003
【００３９】
【数３】
2005038474.tif 000004
【００４０】
ここで回折角θＡと回折角θＢはラジアン表示においてθＡ≪１，θＢ≪１なので、（数２）および（数３）は（数４）および（数５）のように近似できる。
【００４１】
【数４】
2005038474.tif 000005
【００４２】
【数５】
2005038474.tif 000006
【００４３】
一方、回折角θＡと回折角θＢは回折格子７ａの格子ピッチｐ１と回折格子７ｂの格子ピッチｐ２を用いて、（数６）および（数７）のように表せる。
【００４４】
【数６】
2005038474.tif 000007
【００４５】
【数７】
2005038474.tif 000008
【００４６】
よって（数４）（数５）（数６）（数７）を用いると（数８）を導き出せる。
【００４７】
【数８】
2005038474.tif 000009
【００４８】
本実施例において回折格子７ａの格子ピッチｐ１と回折格子７ｂの格子ピッチｐ２は、例えばｈＡとｈＢが略一致するように、つまり点Ｏと点Ｂが略一致するように格子ピッチを設定しているので（数９）が成り立つ。
【００４９】
【数９】
2005038474.tif 000010
【００５０】
ここでｄＡ＞ｄＢなので、本実施例において格子ピッチｐ１と回折格子７ｂの格子ピッチｐ２は、例えば（数１）を満たすように設定している。
【００５１】
ところで本発明において回折格子７ａと回折格子７ｂは別体である必要は無く、例えば図７に示すように回折格子７ａと回折格子７ｂを透明部材の両面に刻んでも良い。この場合、回折格子７ａと回折格子７ｂが一体となった透明部材を光軸方向に変位または光軸周りに回転することで、図４または図５を用いて前述したように受光面上のＤＶＤスポット位置を変化させることなく、受光面上におけるＣＤスポット位置を調整する。
【００５２】
ところで以上述べたように、本発明では検出に用いるＤＶＤ／ＣＤ双方の光ビームの光利用効率を高くするために、回折効率に波長選択性を持たせる目的から、格子溝断面の形状を階段状にしていたが、本発明はこれに限定されるものでは無い。例えば光利用効率は低くなるが、回折格子７ａと回折格子７ｂの格子溝断面の形状は矩形状であっても一向に構わない。
【００５３】
また本発明では、ＤＶＤ光ビームは回折格子７ａの０次光かつ回折格子７ｂの０次光を検出に用い、またＣＤ光ビームは回折格子７ａおよび回折格子７ｂの回折光のうち０次光を境にして互いに逆方向に回折する光ビームを検出に用いるとしていたが、本発明はこれに限定されるものでは無い。例えば逆にＤＶＤ光ビームは回折格子７ａおよび回折格子７ｂの回折光のうち０次光を境にして互いに逆方向に回折する光ビームを検出に用い、またＣＤ光ビームは回折格子７ａの０次光かつ回折格子７ｂの０次光を検出に用いるようにしても一向に構わない。この場合、回折格子７ａまたは回折格子７ｂもしくはその両方を、光軸方向に変位または光軸周りに回転することで、受光面上のＣＤスポット位置を変化させることなく、受光面上におけるＤＶＤスポット位置を調整し所定の位置に集光させる事が出来る。
【００５４】
続いて、本発明の光ピックアップ装置を搭載した光ディスク装置の概略ブロック図を図８に示す。光ピックアップ装置７０は、例えば図１または図７に示すような構成であり、光ピックアップ装置７０により検出された各種検出信号は、信号処理回路内のサーボ信号生成回路７４及び情報信号再生回路７５に送られる。サーボ信号生成回路７４では、これら検出信号から各光ディスクに適したフォーカスエラー信号やトラッキングエラー信号が生成され、これを基にアクチュエータ駆動回路７３を経て光ピックアップ装置７０内の対物レンズアクチュエータを駆動し、対物レンズの位置制御を行う。また情報信号再生回路７５では前記検出信号から光ディスク１００に記録された情報信号が再生される。なお前記サーボ信号生成回路７４及び情報信号再生回路７５で得られた信号の一部はコントロール回路７６に送られる。コントロール回路７６は、これら各種信号を用いて、その時再生しようとしている光ディスク１００の種類を判別し、レーザ点灯回路７７を駆動させる。なおコントロール回路７６にはアクセス制御回路７２とスピンドルモータ駆動回路７１が接続されており、それぞれ光ピックアップ装置７０のアクセス方向位置制御や光ディスク１００のスピンドルモータ６０の回転制御が行われる。
【００５５】
【発明の効果】
発光点間隔ばらつきの大きい２波長マルチレーザを光源に用いた光ピックアップ装置において、２個の回折格子を光軸方向に並べて配置する事で、発光点間隔のバラツキを吸収でき、かつレーザ部の温度変化に伴う波長変動が生じても受光面上におけるスポット位置ずれを低減でき、温度変化時における各種サーボ信号の品質を向上することができる。
【図面の簡単な説明】
【図１】光ピックアップ装置に関する実施例を示した図である。
【図２】検出に用いるＤＶＤ／ＣＤ光ビームを表した図である。
【図３】波長変動と受光面上におけるスポット位置すれの関係を表した図である。
【図４】受光面パターンに関する第１の実施例を示した図である。
【図５】受光面パターンに関する第２の実施例を示した図である。
【図６】回折格子の設置位置と回折角度の関係を示した図である。
【図７】光ピックアップ装置に関する実施例を示した図である。
【図８】光ディスク装置の概略図である。
【図９】従来の光ピックアップ装置の概略図である。
【図１０】従来の光ピックアップ装置の問題点を表した図である。
【符号の説明】
１…マルチレーザ光源、１ａ，１ｂ…半導体レーザ光源、２，７，７ａ，７ｂ…回折格子、３…ビームスプリッタ、４…コリメートレンズ、５…立ち上げミラー、６…対物レンズ、８…光検出器、８ａ，８ｂ，８ｃ，９ａ，９ｂ，９ｃ…受光面、１０ａ，１０ｂ，１０ｃ，１１ａ，１１ｂ，１１ｃ…受光面上光スポット、１１ａ’，１１ｂ’，１１ｃ’…受光面上光スポット、６０…スピンドルモータ、７０…光ピックアップ装置、７１…スピンドルモータ駆動回路、７２…アクセス制御回路、７３…アクチュエータ駆動回路、７４…サーボ信号生成回路、７５…情報信号再生回路、７６…コントロール回路、７７…レーザ点灯回路、１００…光ディスク、２００…ＤＶＤ光ビーム、２０１…・・ＣＤ光ビーム。
【図１】
2005038474.tif 000013
【図２】
2005038474.tif 000014
【図３】
2005038474.tif 000015
【図４】
2005038474.tif 000016
【図５】
2005038474.tif 000017
【図６】
2005038474.tif 000018
【図７】
2005038474.tif 000019
【図８】
2005038474.tif 000020
【図９】
2005038474.tif 000021
【図１０】
2005038474.tif 000022